(57)【要約】【課題】      水道流し台の上で長時間、茶碗や野菜を洗う時、水道水が人の胸や腹部などにかかるのを防ぐためにゴム製の重い前掛けをするため、人の動作が鈍くなるし、また、非常に疲れ易くなる。この問題を解決するためには水道流し台のわくの上に幅３０センチ高サ２０センチほどの薄板を立てれば解決されるけれども、その薄板が流し台のわくに密着しないと、人の通行時に衣服などに引っ掛かり通路側に落ちることが実験の結果判明した。そこで、流し台のわくに密着するやうに二枚の細長い板状の金属板を細工して安価に供給でき、然も安全性の高い水道水飛沫防止板を提供する。【解決手段】  二枚の細長い板状の金属板Ｓ１、Ｓ２をネジ１０で止め、丸い穴２、横長の穴３、３Ａをあけ、すき間５Ａにビニール板１を入れ、ネジ１０で固定し、流し台に水道水飛沫防止板を取り付けた。【選択図】  図７
2005105547.tif 000002
【特許請求の範囲】
【請求項１】
一枚の細長い板状の金属板を折り曲げ水道流し台の上わくに架け、水道水飛沫防止のための合成樹脂製板、又は、金属性薄板と金属板をネジで固定した取り外し自由な水道水飛沫防止板。
【請求項２】
水道流し台の上わくに置かれた二枚の金属板の中心部に細長い切り込みの穴を作り、流し台上わくの幅の長短に応じて金属板と台わくが密着出来るやうにした取り外し自由な請求工１の水道水飛沫防止板。
【請求項３】
水道水飛沫防止のための合成樹脂製板、又は、金属性薄板の上部にゴム製キャップをかぶせた請求工１の水道水飛沫防止板。
【発明の詳細な説明】
【技術分野】
【０００１】
本発明は水道流し台上にて水道水で茶碗や野菜、その他など洗う時、人の胸腹部が洗浄水の飛沫のために濡れる事を防ぐための合成樹脂製板、又は、金属性薄板とその取り付けのための加工された金属板など、水道水飛沫防止板に関するものである。
【背景技術】
【０００２】
従来この種の水道水飛沫防止板としては、実用新案登録番号第３００５８３９号公報に開示されたものがある。ビニール板、あるいはそれに類する板状のものを水道流し台わく上に乗せ、取り外し自由なように構成されている。
【特許文献１】実用新案登録第３００５８３９号公報
【発明の開示】
【発明が解決しようとする課題】
【０００３】
しかしながら前記飛沫防止板を合成樹脂製板にて製作する場合、流し台のわく幅は何種類もあるため、それぞれのわく幅に密着する金型を作ろうとすれば非常に高額な費用もかかり、１個あたりの売値も高くなる。また、流し台上のわくに飛沫防止板を置くとき、少しでも通路側に出ていると通行する人々の衣服に引っかかり防止板を床に落とし破損するといふ問題もあつた。
【課題を解決するための手段】
【０００４】
本発明は目的を達成するため、一枚の細長い板状の金属板ともう一枚の短い金属板を水道流し台わく上で重ね合わせ、この二枚の金属板の中心部に横長の細い穴を作りネジにて固定すれば、わく幅の長短に応じて何種類もの水道流し台わくに適応できるやうに形成したものである。
【０００５】
また、前記構成において、水飛沫防止のため水道流し台わく上にたてる板だけをビニールで製形すれば、１種類の金型で何種類もの流し台わくに適応出来るやうに形成したものである。
【発明の効果】
【０００６】
以上説明したように本発明の効果として水道水飛沫防止板を流し台の上にて使用することにより使用人の胸、腹部に水の飛沫防止する効果があるので重たいゴムの前掛けをする必要がない。
【発明を実施するための最良の形態】
【０００７】
以下、本発明の一実施形態に係る水道水飛沫防止板を図面に基いて説明する。図７に全体を符号５で示される水道水飛沫防止板は薄い合成樹脂製板と一枚の細長い板状の金属板ともう一枚の短い金属板を水道流し台わく上で重ね合わせ、ネジで薄い合成樹脂製板を縦に固定するやうに形成されたものである。
【０００８】
まず、図１の一枚の細長い板状の金属板１を図のように折り曲げ，すき間５Ａにビニール板１１を差し込み２に穴をあけ、ネジ１０で固定する。次に、折り曲げられた金属板７に細長い穴３を作り、図２の金属板２に設定された３Ａの穴に金属板二枚の１、２を重ね合わせ流し台上わく幅の長短に応じて図４、５のごとくネジ１０で固定すれば図７のごとく構成される。
【０００９】
金属板１、金属板２の細長い穴３や３ＡのＡとＣ、ＢとＤを重ね二枚の板状の金属板１，２を左右に移動さす事により水道流し台上のわく幅１２の長短に応じる事ができる。ここで一番注意すべき点は水道流し台上のわく幅１２の通路側に折り曲げられた金属板９，９Ａが水道流し台上のわくにすき間のないように密着さす必要がある。
【００１０】
尚、同一規格で多量生産された水道流し台の場合には、水道流し台上のわく幅１２の寸法が同じであるため、図４のごとく一枚の細長い板状の金属板を要所要所で直角に曲げ加工する事も可能であるし加工条件が単純なため、１個あたりの単価も安くなるため、この製造方法も考慮する必要がある。
【００１１】
細長い板状の金属板は鉄板でも差しつかえないが、出来れば錆びない適当な強度をもつステンレスやアルミ薄板などがのぞましい。また、ビニール板１１は床に落とした時に割れない材質のものがよいし、ベニヤ板の場合、防水する必要がある。尚、いずれも板の角を丸くして人や衣服に引っ掛かれないように形成した。
【実施例１】
【００１２】
図７は、本発明装置の水道水飛散防止板を流し台に取り付けた状態である。
【図面の簡単な説明】
【００１３】
【図１】一枚の細長い板状の金属板Ｓ１を直角に曲げ加工した斜面図である。
【図２】一枚の短い板状の金属板Ｓ２を直角に曲げ加工した斜面図である。
【図３】ビニール板の斜面図である。
【図４】二枚の細長い板状の金属板Ｓ１，Ｓ２をネジで止めた場合の横面図である。
【図５】二枚の細長い板状の金属板Ｓ１，Ｓ２をネジで止めた場合の俯瞰図である。
【図６】一枚の細長い板状の金属板Ｓ３を要所要所で直角に曲げ加工した斜面図である。
【図７】流し台に水道水飛沫防止板を取り付けた場合の斜面図である。
【図８】図７のA−A線における断面図である。
【符号の説明】
【００１４】
Ｓ１    流し台の内側につける金属板
Ｓ２    流し台の外側につける金属板
Ｓ３    流し台に簡単に架けられる一枚の金属板で出来た普及品
１      ビニール板
１A    ゴム製キャップ
２      丸い穴
３、３Ａ横長の穴    
４      水道蛇口
５      流し台の内側でビニール板を固定する金属板の一部
５Ａ    ビニール板を差し込むすき間
６      流し台の内側でビニール板を固定する金属板の一部
７      流し台の幅の上側にのる金属板
８      流し台の幅の上側にのる金属板
９      一枚の短い板状の金属板Ｓ２を直角に曲げ、流し台の幅の外側に出る金属板
９Ａ    一枚の長い板状の金属板Ｓ３を直角に曲げ、流し台の幅の外側に出る金属板
１０      ネジ
１１      流し台の幅の上側
１２      通路側の水槽板
１３      水槽の底板
【図１】
2005105547.tif 000003
【図２】
2005105547.tif 000004
【図３】
2005105547.tif 000005
【図４】
2005105547.tif 000006
【図５】
2005105547.tif 000007
【図６】
2005105547.tif 000008
【図７】
2005105547.tif 000009
【図８】
2005105547.tif 000010